(57)【要約】【課題】着用に不快感を与えることなく信号処理装置を装着可能な姿勢検出衣料を提供する。【解決手段】少なくとも前身頃と後身頃を構成する身生地が体表面を被覆する伸縮生地で構成され、身生地と一体に編成または身生地に接合され身生地の伸縮状態の変化を電気特性の変化に変換する姿勢検出生地と、平面視で長細形状に構成された信号処理部を前記姿勢検出生地と電気的に接続する取付部とを備えている姿勢検出衣料であって、前記取付部は、身幅方向への３０％伸長時の定伸長荷重（ＪＩＳ  Ｌ１０９６  Ｅ法準拠）が０．０１Ｎから１Ｎの範囲に設定された前記身生地の前身頃または後身頃に設けられ、前記信号処理部の長手方向が水平姿勢となるように装脱自在に装着する係止具で構成されている。【選択図】図１
2018016917.tif 000002
【特許請求の範囲】
【請求項１】
少なくとも前身頃と後身頃を構成する身生地が体表面を被覆する伸縮生地で構成され、身生地と一体に編成または身生地に接合され身生地の伸縮状態の変化を電気特性の変化に変換する姿勢検出生地と、平面視で長細形状に構成された信号処理部を前記姿勢検出生地と電気的に接続する取付部とを備えている姿勢検出衣料であって、
前記取付部は、身幅方向への３０％伸長時の定伸長荷重（ＪＩＳ  Ｌ１０９６  Ｅ法準拠）が０．０１Ｎから１Ｎの範囲に設定された前記身生地の前身頃または後身頃に設けられ、前記信号処理部の長手方向が水平姿勢となるように装脱自在に装着する係止具で構成されている姿勢検出衣料。
【請求項２】
前記取付部は前身頃のうち平置き状態でアームホールの頂点から下方に２００ｍｍから４００ｍｍの範囲で前中心線上に前記信号処理部が位置するように設けられている請求項１記載の姿勢検出衣料。
【請求項３】
前記姿勢検出生地は背中心と交差し且つ左右対称になるように後身頃を構成する身生地と一体に編成または身生地に接合された帯状の生地で構成され、前記姿勢検出生地で検出される電気特性の変化に基づいて着用者の猫背姿勢を検出可能に構成されている請求項１または２記載の姿勢検出衣料。
【請求項４】
前記姿勢検出生地は、後身頃の背部に水平姿勢で上下に間隔を隔てて少なくとも二本配置され、前記取付部は前記姿勢検出生地のそれぞれと前記信号処理部とを個別に電気的に接続可能に構成されている請求項３記載の姿勢検出衣料。
【発明の詳細な説明】
【技術分野】
【０００１】
本発明は、身生地が体表面を被覆する伸縮性編地で構成される衣料に関する。
【背景技術】
【０００２】
近年、健康志向の高まりを受けてフィットネスクラブなどを利用した活動によって体調を管理する意識が高まっており、そのための様々な補助具が提案されている。例えば、歩数や移動距離、脈拍、消費カロリー等を測定し、記録するような生体情報測定装置である。
【０００３】
特許文献１には、簡易な操作で適度な強さでベルトを締め付けて胸部に装着することができる生体情報測定装置が提案されている。
【０００４】
当該生体情報測定装置は、人体に巻き付けるベルト部と、ベルト部の両端部に共通に設けられたアタッチメントと、アタッチメントとベルト部の両端部の少なくとも一方との距離を変更調整する伸縮調整機構と、アタッチメントに電気的に接続され生体情報を検出する生体情報検出回路を有する測定部とを備え、測定部がアタッチメントに対して回転操作されることにより、測定部の電源がオフ状態に設定されるとともにベルト部の人体に対する締め付けを解除させる第１の操作状態と、測定部の電源がオン状態に設定されるとともにベルト部を人体に対して締め付ける第２の操作状態とのいずれかに設定可能な構成を備えている。
【０００５】
特許文献２には、装着時に生じる不快感を軽減でき、生体電極を生体に安定的に接触させることができるウエアラブル電極が提案されている。当該ウエアラブル電極は、生体電極と、胸部を横方向に一周するベースバンド部および該ベースバンド部の左右方向一側の前胸部配置位置から斜めに延出し左右方向逆側の肩部を経由して前記ベースバンド部の左右方向一側の背部配置位置に繋がる斜めバンド部を有して生体電極を保持する装具とを備えている。
【先行技術文献】
【特許文献】
【０００６】
【特許文献１】特開２０１４−５４３６８号公報
【特許文献２】特開２０１５−７７２２６号公報
【発明の概要】
【発明が解決しようとする課題】
【０００７】
上述した生体情報測定装置及びウエアラブル電極は、何れもベルト部材を身体の上半身に巻き付けて使用するものであるため、どのように締付圧を調整しても不快感を伴うという問題が解消されることがなかったために一層の改善が望まれていた。
【０００８】
そこで本願出願人は、身生地の伸縮状態の変化を電気特性の変化に変換する姿勢検出生地が前記身生地と一体に編成または前記身生地に接合され、前記姿勢検出生地で検出される電気特性の変化に基づいて着用者の姿勢を検出可能に構成されている衣料を提案している（特願２０１５−２４３５６５号）。
【０００９】
このような衣料であれば、姿勢を検出する素子が衣類に組み込まれるため、身体に巻き付ける必要が無く、不快感を抱くことがない。このような姿勢検出生地に発生する電気特性の変化は、衣料に取り付ける信号処理装置に電気的に接続されることにより検出されるようになる。
【００１０】
当該信号処理装置は、姿勢検出生地に発生する電気特性の変化を検出する信号処理回路と、信号処理回路で処理された値をスマートフォン等の外部の情報処理装置に送信する無線通信回路などが組み込まれている。
【００１１】
上述の特許文献に開示されたような生体情報測定装置及びウエアラブル電極に組み込まれる信号処理装置であれば、そもそも身体に巻き付けるベルトに取り付けられるため、ある程度大きな形状であっても、またある程度硬いものであっても然程の違和感を抱くことがないのであるが、それほどの締付感を与えることがなく肌に柔らかく接触する衣料に取り付ける場合には、着用者の姿勢が変わる際に、違和感が生じるという問題があった。
【００１２】
尚、筋肉をサポートすることで運動機能を支援するコンプレッションタイプのウェアでは、心拍数等をモニタするための電極が埋め込まれ、当該電極と電気的に接続するための金属製の係止具を介して信号処理装置をウェアの外面に装着する構成が提案されているが、皮膚に強く押し当てられるコンプレッションタイプのウェアでは、特許文献に開示されたような生体情報測定装置及びウエアラブル電極に組み込まれる信号処理装置と同様に、然程の違和感を抱くことがなく、緩やかに身体にフィットして緩やかに伸縮する衣料を用いる場合には、信号処理装置の取付姿勢や取付位置が非常に重要になっていた。
【００１３】
本発明の目的は、上述した問題に鑑み、着用に不快感を与えることなく信号処理装置を装着可能な姿勢検出衣料を提供する点にある。
【課題を解決するための手段】
【００１４】
上述の目的を達成するため、本発明による姿勢検出衣料の第一の特徴構成は、同請求項１に記載した通り、少なくとも前身頃と後身頃を構成する身生地が体表面を被覆する伸縮生地で構成され、身生地と一体に編成または身生地に接合され身生地の伸縮状態の変化を電気特性の変化に変換する姿勢検出生地と、平面視で長細形状に構成された信号処理部を前記姿勢検出生地と電気的に接続する取付部とを備えている姿勢検出衣料であって、前記取付部は、身幅方向への３０％伸長時の定伸長荷重（ＪＩＳ  Ｌ１０９６  Ｅ法準拠）が０．０１Ｎから１Ｎの範囲に設定された前記身生地の前身頃または後身頃に設けられ、前記信号処理部の長手方向が水平姿勢となるように装脱自在に装着する係止具で構成されている点にある。
【００１５】
身幅方向への３０％伸長時の定伸長荷重（ＪＩＳ  Ｌ１０９６  Ｅ法準拠）が０．０１Ｎから１Ｎの範囲に設定された身生地であれば、身体の表面への接触状態を保ちながら着用者の姿勢の変化に追従してソフトに伸縮するので、長時間着用した状態で日常生活を送ることができ、日常生活の中で必要に応じて姿勢を検出することができる。そのような姿勢検出衣料に平面視で長細形状に構成された信号処理部を係止具を介して装着する場合に、信号処理部の長手方向が水平姿勢となるように前身頃または後身頃に装着すれば、前屈み姿勢をとる場合、状態を後ろに反らせる場合、左右に旋回する場合の何れの場合でも信号処理部が身体の表面に特段の圧迫感を与えることがなく、良好な状態が維持される。
【００１６】
同第二の特徴構成は、同請求項２に記載した通り、上述の第一の特徴構成に加えて、前記取付部は前身頃のうち平置き状態でアームホールの頂点から下方に２００ｍｍから４００ｍｍの範囲で前中心線上に前記信号処理部が位置するように設けられている点にある。
【００１７】
前身頃のうち平置き状態でアームホールの頂点から下方に２００から４００ｍｍの範囲で前中心線上に信号処理部が取り付けられると、上述したような身体の表面にソフトに接触する身生地でなる衣料の着用者が、姿勢を様々に変化させた場合でも、信号処理部が身体の表面に特段の圧迫感を与えるようなことがない。
【００１８】
同第三の特徴構成は、同請求項３に記載した通り、上述の第一または第二の特徴構成に加えて、前記姿勢検出生地は背中心と交差し且つ左右対称になるように後身頃を構成する身生地と一体に編成または身生地に接合された帯状の生地で構成され、前記姿勢検出生地で検出される電気特性の変化に基づいて着用者の猫背姿勢を検出可能に構成されている点にある。
【００１９】
本願発明者らによる鋭意研究の結果、猫背姿勢と肩甲骨下角間距離との間に大きな相関がみられるという新知見が得られた。肩甲骨の下角間距離が広がると猫背の程度がひどくなり、下角間距離が狭まると猫背が解消されて姿勢が良くなる。そこで、肩甲骨下角間距離の変動によって伸縮するような身生地を用いて体表面を覆うような衣料を構成し、伸縮状態の変化を電気特性の変化に変換する帯状の姿勢検出生地を、背中心と交差し且つ左右対称になるように身生地と一体に編成または身生地に接合することにより、肩甲骨下角間距離の変動を電気特性の変化として間接的に検出できるようになる。その結果、着用者の猫背姿勢を客観的な数値として把握できるようになる。
【００２０】
同第四の特徴構成は、同請求項４に記載した通り、上述の第三の特徴構成に加えて、前記姿勢検出生地は、後身頃の背部に水平姿勢で上下に間隔を隔てて少なくとも二本配置され、前記取付部は前記姿勢検出生地のそれぞれと前記信号処理部とを個別に電気的に接続可能に構成されている点にある。
【００２１】
姿勢検出生地として身生地の伸縮状態と相関して電気抵抗が変化する伸縮生地を用いることにより、肩甲骨下角間距離の変動を電気抵抗値の変化として間接的に検出できるようになる。しかし、着用者の呼吸によっても姿勢検出生地が伸縮するため、呼吸による電気抵抗値の変化がノイズとして重畳するため、電気抵抗値の瞬時値では正確な値が得られない虞がある。そこで、電気抵抗値の時間平均値を求めて呼吸による電気抵抗値の変化を相殺したり、呼吸によるノイズを除去するフィルタ処理を行なう必要があるが、そうすると検出時間を要することになる。そのような場合でも、後身頃の背部に水平姿勢で上下に間隔を隔てて配置された少なくとも二本の姿勢検出生地によって、それぞれに呼吸によるノイズが同相のノイズとして検出されると、例えば差分を求めることにより同相ノイズを容易に相殺できるようになり、時間を要することなく肩甲骨下角間距離の変動を正確に検知することができる。
【発明の効果】
【００２２】
以上説明した通り、本発明によれば、着用に不快感を与えることなく信号処理装置を装着可能な姿勢検出衣料を提供することができるようになった。
【図面の簡単な説明】
【００２３】
【図１】（ａ）は本発明による男性用の姿勢検出衣料の着用状態の背面図、（ｂ）は同正面図、（ｃ）は同正面図
【図２】（ａ）は肩甲骨下角間距離が短くなり、猫背姿勢が解消された状態の肩甲骨の位置の説明図、（ｂ）は肩甲骨下角間距離が長くなり、猫背姿勢となった状態の肩甲骨の位置の説明図、（ｃ）は本発明による男性用の姿勢検出衣料を着用した状態での肩甲骨の位置の説明図
【図３】（ａ）は本発明による女性用の姿勢検出衣料の着用状態の背面図、（ｂ）は同斜視図
【図４】姿勢検出生地の収縮状態の編組織図
【図５】姿勢検出生地の伸長状態の編組織図
【図６】（ａ）は姿勢検出生地に利用可能なＳＣＹの説明図、（ｂ）は姿勢検出生地に利用可能なＤＣＹの説明図、（ｃ）は伸長状態にあるＳＣＹの説明図、（ｄ）はカバリング糸を用いた平編みの編組織図
【図７】導電性伸縮生地の編組織図
【図８】導電性伸縮生地の端子間抵抗値特性図
【図９】（ａ），（ｂ），（ｃ），（ｄ）は信号処理部の取付位置の評価試験結果を示すグラフ図
【図１０】（ａ），（ｂ），（ｃ），（ｄ）は信号処理部の取付位置の評価試験結果を示すグラフ
【発明を実施するための形態】
【００２４】
以下、本発明による姿勢検出衣料を図面に基づいて説明する。
図１（ａ），（ｂ），（ｃ）には、男性用の姿勢検出衣料１００が示されている。姿勢検出衣料１００は、肌着などとして日常的に着用しながら、着用者の上半身の姿勢が猫背姿勢になっているか否か等を検出するための衣料１００である。
【００２５】
当該衣料１００は、縦横二方向に伸縮性を示す身生地１を用いて前身頃２と後身頃３と袖４が構成され、着用者の身体の表面を緩やかに密接被覆するように構成されている。着用者の姿勢の変化に伴って皮膚表面が伸長或いは収縮すると、それに伴って身生地１が皮膚表面に沿って同様に伸縮する。
【００２６】
このときの身生地１の伸縮の程度を検出するべく、身生地１の伸縮に伴って伸縮し、伸縮状態の変化を電気特性の変化、本実施形態では電気抵抗値の変化に変換する上下二本の帯状の姿勢検出生地５（５Ａ，５Ｂ）が身生地１と一体に編成または身生地１に接合されている。接合態様として、姿勢検出生地５を身生地１に接着する態様または勢検出生地５（５Ａ，５Ｂ）を身生地１に縫着する態様があり、何れの態様であってもよい。
【００２７】
各姿勢検出生地５（５Ａ，５Ｂ）は、導電性伸縮生地６（６Ａ，６Ｂ）を介して腹部上方に取り付けられた信号処理部７に接続され、信号処理部７によって電気特性の変化が検知されるように構成されている。
【００２８】
図１（ｂ），（ｃ）に示すように、導電性伸縮生地６（６Ａ，６Ｂ）の端部に、取付部として機能する金属製のスナップボタンでなる係止具（Ｔ１，Ｔ２），（Ｔ３，Ｔ４）が設けられ、当該係止具（Ｔ１，Ｔ２），（Ｔ３，Ｔ４）と係合するスナップボタンが裏面に設けられた信号処理部７が着脱自在に係合することにより、各姿勢検出生地５（５Ａ，５Ｂ）が導電性伸縮生地６（６Ａ，６Ｂ）を介して信号処理部７と電気的に接続される。
【００２９】
導電性伸縮生地６（６Ａ，６Ｂ）も姿勢検出生地５（５Ａ，５Ｂ）と同様に、身生地１と一体に編成または身生地１に接合され、身生地１の伸縮に伴って伸縮するように構成されているが、伸縮状態にかかわらず電気抵抗が略一定の特性を備えている生地が用いられる。
【００３０】
具体的に、姿勢検出生地５（５Ａ，５Ｂ）は、背中心Ｐと交差し且つ左右対称になるように、後身頃３の背部に水平姿勢で上下に間隔を隔てて二本配置されている。
【００３１】
二本の姿勢検出生地５Ａ，５Ｂは、それぞれ身幅Ｗとほぼ等しい同一長さに構成され、各姿勢検出生地５Ａ，５Ｂの電気抵抗検出長さ、つまり姿勢変化を検出するための有効長さがそれぞれ異なる長さＷ１，Ｗ２に設定されている。
【００３２】
図２（ａ），（ｂ）に示すように、猫背姿勢と左右の肩甲骨２０の下角２１の位置に相関が見られ、肩甲骨下角間距離Ｌが広がると猫背の程度がひどくなり（図３（ｂ）の実線で示す肩甲骨の位置）、下角間距離Ｌが狭まると猫背が解消されて姿勢が良くなる（図３（ａ）の実線で示す肩甲骨の位置）。
【００３３】
図３（ｃ）に示すように、姿勢検出衣料１００は、肩甲骨下角間距離Ｌの変動によって伸縮するような身生地１を用いて体表面を覆うように構成され、その背部に配された帯状の姿勢検出生地５（５Ａ，５Ｂ）によって肩甲骨下角間距離Ｌの変動を電気抵抗値の変化として間接的に検出する衣料である。尚、姿勢検出生地５は電気抵抗値以外の電気特性の変化として検出可能な生地で構成されていてもよい。例えば、歪みの程度により変化する静電容量や起電力などである。
【００３４】
信号処理部７には、各姿勢検出生地５Ａ，５Ｂの電気抵抗検出長さに対応した電気抵抗値を求める一対のホイートストンブリッジ回路のような抵抗検出回路と、各抵抗検出回路の出力の差分値を算出する演算回路と、演算回路の出力を外部に送信するブルートゥース（登録商標）のような無線通信回路が組み込まれている。スマートフォン等の携帯端末と無線通信回路とを接続することにより、携帯端末の表示画面に、着用者の姿勢が猫背になっているか否か、どの程度の猫背になっているか、その程度の時間猫背が続いているのかなどの姿勢情報が表示される。
【００３５】
しかし、着用者の呼吸によっても姿勢検出生地５が伸縮するため、呼吸による電気抵抗値の変化がノイズとして重畳して、電気抵抗値の瞬時値では正確な値が得られない虞がある。
【００３６】
そこで、電気抵抗値の時間平均値を求めて呼吸による電気抵抗値の変化を相殺したり、呼吸によるノイズを除去するフィルタ処理を行なったりする必要があるが、そうすると平均化処理のために検出時間を要することになる。上述の構成によれば、二本の姿勢検出生地５Ａ，５Ｂそれぞれに呼吸による伸縮が同相のノイズとして抵抗値の変動が検出されても、両者の差分を求めることにより同相ノイズが相殺できるようになり、平均化処理のような時間を要することなく肩甲骨下角間距離の変動を正確に検知することができるようになる。
【００３７】
姿勢検出生地５の電気抵抗検出長さを背中心Ｐに左右対称とすることで、左右方向へのバイアスがかかることなく肩甲骨下角間距離の変動を適正に検出できるようになる。また、上下で勢検出生地の電気抵抗検出長さを異なる長さに設定することにより、上下で肩甲骨下角間距離の変動の程度に差をつけることができ、各電気抵抗値の差分を求める際に呼吸によるノイズのみを効果的に除去することができるようになる。電気抵抗検出長さとは、身生地の伸長に伴って伸長する帯状の姿勢検出生地５のうち、電気抵抗を計測する区間の長さをいう。
【００３８】
左右肩甲骨の下角間距離が最小となる場合の各抵抗値の差分値により着用者の猫背が解消されて良好な姿勢が数値として定まり、下角間距離が最大となる場合の各抵抗値の差分値により着用者の最もひどい猫背姿勢が数値として定まる。
【００３９】
そのため、左右肩甲骨の下角間距離が最小となる場合の各抵抗値の差分値と、下角間距離が最大となる場合の各抵抗値の差分値を基準にして、任意の猫背姿勢の程度が検出されることが好ましく、任意の猫背姿勢に対して求まる各抵抗値の差分値を両者と対比することにより猫背の程度を客観的な数値として表すことができるようになる。
【００４０】
図１（ａ）では、上方の姿勢検出生地５Ａの電気抵抗検出長さが下方の姿勢検出生地５Ｂの電気抵抗検出長さよりも短くなるように構成された例を説明したが、逆に上方の姿勢検出生地５Ａの電気抵抗検出長さが下方の姿勢検出生地５Ｂの電気抵抗検出長さよりも長くなるように構成されていてもよい。
【００４１】
姿勢検出生地５Ａ，５Ｂ自体はそれぞれ同一長さに構成されていることが好ましい。肩甲骨下角間距離の変動に伴う身生地１の伸縮に伴って姿勢検出生地５が伸縮するが、上下の姿勢検出生地５Ａ，５Ｂの長さを電気抵抗検出長さに合わせると、姿勢検出生地が短い方で、身生地のみが伸縮して姿勢検出生地が伸縮しない虞がある。
【００４２】
上下の姿勢検出生地５Ａ，５Ｂがそれぞれ同一長さに設定されていれば、身生地の伸縮に応じて上下の姿勢検出生地５Ａ，５Ｂも同様に伸縮するようになる。そして、肩甲骨下角間距離の変動に伴って伸縮する後身頃と一体になって姿勢検出生地も伸縮するように、各姿勢検出生地５Ａ，５Ｂの長さは身幅Ｗと略同じ長さに設定されていることが好ましい。
【００４３】
姿勢検出生地５Ａ，５Ｂは、肩線とアームホールの交点から下方に３５ｍｍから１７０ｍｍの範囲で、少なくとも１０ｍｍ以上離隔するように配置されていることが好ましく、この範囲に配置すれば肩甲骨下角間距離の変動に対応して適切に姿勢検出生地５Ａ，５Ｂが伸縮して猫背姿勢を検出できるようになる。
【００４４】
姿勢検出生地５Ａ、５Ｂに区画される抵抗検出長さの一方は２０ｍｍから２３０ｍｍの範囲に設定され、他方は前記一方の抵抗検出長さよりも長く、かつ１００ｍｍから２９０ｍｍの範囲に設定されるのが好ましく、さらに前記一方は３０ｍｍから９０ｍｍの範囲に設定され、前記他方は１５０ｍｍから２１０ｍｍに設定されていることがより好ましい。この範囲に設定すると呼吸ノイズを相殺しながらも肩甲骨下角間距離の変動を良好に検出できるようになる。
【００４５】
図３（ａ），（ｂ）には、女性用の姿勢検出衣料１００が示されている。上述した実施形態では、各姿勢検出生地５Ａ，５Ｂの長さは身幅Ｗと略同じ長さに設定され、導電性伸縮生地６（６Ａ，６Ｂ）の接続位置によって電気抵抗検出長さが調整される例を説明したが、本実施形態では、各姿勢検出生地５Ａ，５Ｂの長さが電気抵抗検出長さとなり、上下で長さが異なるように構成されている。
【００４６】
そして、各姿勢検出生地５Ａ，５Ｂの左右端部から導電性伸縮生地６Ａ，６Ｂが左右に延出し、姿勢検出生地５Ａと導電性伸縮生地６Ａの延出長さ、及び姿勢検出生地５Ｂと導電性伸縮生地６Ｂの延出長さが身幅Ｗと略同じ長さに設定されている。このような構成でも、肩甲骨下角間距離の変動に対応して適切に姿勢検出生地が伸縮するようになる。
【００４７】
姿勢検出生地５の定伸長荷重は、少なくとも身生地の身幅方向の定伸長荷重以上に設定されていることが好ましく、検出部位以外の身生地の伸縮の影響を受けにくくなり、精度よく姿勢変化を検出することができる。また、導電性伸縮生地６の定伸長荷重は姿勢検出生地５の定伸長荷重とほぼ同じ値に設定されていることが好ましい。
【００４８】
身生地１の身幅方向への３０％伸長時の定伸長荷重（ＪＩＳ  Ｌ１０９６  Ｅ法準拠）は０．０１Ｎから１Ｎの範囲が好ましく、前記姿勢検出生地の３０％伸長時の定伸長荷重は０．２Ｎから１．８Ｎの範囲であることが好ましい。
【００４９】
この範囲に設定されていると、検出部位以外の身生地の伸縮の影響を受けにくくなり、姿勢変動に追従して適切に伸縮するようになり、良好に猫背姿勢を検出することができるようになる。
【００５０】
尚、姿勢検出生地のサンプルサイズを１２０ｍｍ×９ｍｍとして、Ｅ法規定サイズに調整できないため、Ｅ法準拠としている。幅寸法が９ｍｍとは異なる場合には、その幅寸法に応じて比例計算することにより適値が定まる。
【００５１】
身生地１の身幅方向への３０％伸長時の定伸長荷重（ＪＩＳ  Ｌ１０９６  Ｅ法準拠）が０．０２Ｎから０．６Ｎの範囲であり、姿勢検出生地の３０％伸長時の定伸長荷重（ＪＩＳ  Ｌ１０９６  Ｅ法準拠）が０．４Ｎから１．７Ｎの範囲であることがより好ましく、身生地１の身幅方向への３０％伸長時の定伸長荷重（ＪＩＳ  Ｌ１０９６  Ｅ法準拠）が０．０３Ｎから０．４５Ｎの範囲であり、姿勢検出生地の３０％伸長時の定伸長荷重（ＪＩＳ  Ｌ１０９６  Ｅ法準拠）が０．５Ｎから１．５Ｎの範囲であることがさらに好ましい。
【００５２】
身生地の身幅方向への伸長回復率（ＪＩＳ  Ｌ１０９６  Ｅ法準拠）は５０％から１００％の範囲であり、前記姿勢検出生地の伸長回復率は４０％から１００％の範囲であることが好ましく、この範囲に設定されていると、検出部位以外の身生地の伸縮の影響を受けにくく、良好に猫背姿勢を検出することができるようになり、しかも長期間反復して継続的に猫背姿勢を良好に検出することができる。
【００５３】
身生地の身幅方向への伸長回復率（ＪＩＳ  Ｌ１０９６  Ｅ法準拠）がは５５％から１００％の範囲であり、前記姿勢検出生地の伸長回復率が４５％から１００％の範囲であることがより好ましく、身生地の身幅方向への伸長回復率（ＪＩＳＬ１０９６  Ｅ法準拠）が６０％から１００％の範囲であり、前記姿勢検出生地の伸長回復率が５０％から１００％の範囲であることがさらに好ましい。
【００５４】
上述した信号処理部７を取り付ける取付部は、身生地１の前身頃２または後身頃３に設けられ、信号処理部７の長手方向が水平姿勢となるように装脱自在に装着されていることが好ましい。
【００５５】
図１（ｃ）及び図３（ｂ）に示すように、前身頃２であれば、取付部は前身頃のうち平置き状態でアームホールの頂点から下方に２００から４００ｍｍの範囲で前中心線上に前記信号処理部が位置するように設けられていることが好ましい。
【００５６】
この様な位置に信号処理部７が装着されると、身体の表面にソフトに接触する身生地でなる衣料の着用者が姿勢を様々に変化させた場合でも、信号処理部７が身体の表面に特段の圧迫感や不快感を与えるようなことがない。
【００５７】
この場合、信号処理部７の装着位置は、実質的に、前身頃２のうち着用状態で胸骨の下端部で臍より上部となる位置になる。着用状態で胸骨の下端部で臍より上部となる位置及びその左右横方向には、男女性別を問わず比較的脂肪がつきにくいため、着用者の姿勢が様々に変化しても信号処理部が身体の表面に特段の圧迫感を与えることがない。また、胸部に乳房が膨出する女性であっても、胸部や下腹部に皮下脂肪が蓄積された男性であっても、信号処理部の長手方向が胸部と腹部との間の水平方向の谷間に位置するので、上下近傍を圧迫することがない。また、後身頃３であれば、背中心上で肩甲骨の直下が望ましい。
【００５８】
身幅方向への３０％伸長時の定伸長荷重（ＪＩＳ  Ｌ１０９６  Ｅ法準拠）は０．０１Ｎから１Ｎの範囲に設定された身生地であれば、身体の表面への接触状態を保ちながら着用者の姿勢の変化に追従してソフトに伸縮するので、長時間着用した状態で日常生活を送ることができ、日常生活の中で必要に応じて姿勢を検出することができる。
【００５９】
そのような姿勢検出衣料に平面視で長細形状に構成された信号処理部を係止具を介して装着する場合に、信号処理部の長手方向が水平姿勢となるように前身頃または後身頃に装着すれば、前屈み姿勢をとる場合、状態を後ろに反らせる場合、左右に旋回する場合の何れの場合でも信号処理部が身体の表面に特段の圧迫感を与えることがなく、良好な状態が維持される。
【００６０】
尚、身丈方向への３０％伸長時の定伸長荷重（ＪＩＳ  Ｌ１０９６  Ｅ法準拠）も０．０１Ｎから１Ｎの範囲に設定されていることが好ましいが、それ以上の値であっても特段の問題はない。
【００６１】
図４及び図５には、姿勢検出生地５の編組織が例示されている。姿勢検出生地５は、導電糸１０で編成された平編地に弾性糸１１をインレイによってコース方向に挿入して構成されている。導電糸１０の１コース毎に弾性糸１１を１コース挿入してあり、弾性糸１１は、導電糸１０に沿わせつつ導電糸１０のループに絡ませている。
【００６２】
「導電糸」とは、金属成分が糸表面に露出した裸素材を言う。また「弾性糸」とは、引っ張り力の無負荷時（非伸長時＝常態）では収縮状態を維持し、引っ張り力が負荷されたときには引っ張り力に応じて自由に伸長するものであって、且つ、この引っ張り力を解除して無負荷時に戻せば、伸長状態から元の収縮状態に復元する（収縮する）素材を言う。
【００６３】
導電糸１０として、樹脂繊維や天然繊維、或いは金属線等を芯として、この芯に湿式や乾式のコーティング、メッキ、真空成膜、その他の適宜被着法を行って金属成分を被着させた金属被着線（メッキ線）を使用するのが好適である。芯には、モノフィラメントを採用することも可能ではあるが、モノフィラメントよりもマルチフィラメントや紡績糸のほうが好ましい。更にはポリウレタン繊維のような伸縮性を備えた繊維を用いることも可能である。被覆部としてウーリー加工糸やＳＣＹ、ＤＣＹなどのカバリング糸、毛羽加工糸などの嵩高加工糸がより好ましい。
【００６４】
芯に被着させる金属成分には、例えばアルミ、ニッケル、銅、チタン、マグネシウム、錫、亜鉛、鉄、銀、金、白金、バナジウム、モリブデン、タングステン、コバルト等の純金属やそれらの合金、ステンレス、真鍮等を使用することができる。
【００６５】
弾性糸１１として、ポリウレタンやゴム系のエラストマー材料を単独で用いてもよいし、「芯」にポリウレタンやゴム系のエラストマー材料を用い、「カバー」にナイロンやポリエステルを用いたカバリング糸などを採用することができる。このようなカバリング糸を採用することで、親水性、撥水性、耐食・防食性、カラーリング等の機能を付与させることができる。また肌触りの向上や伸びの制御にも有用である。なお、弾性糸１１として、導電性素材を含んだ糸を使用することも可能である。
【００６６】
弾性糸１１が、導電糸１０による平編地に対してコース方向に挿入されているので、この弾性糸１１が導電糸１０による平編地をコース方向に引き締めるように作用する。これにより、身生地が伸長していないときには、弾性糸１１の引き締め力によってコース方向で隣接する導電糸１０のループ同士の接触状態が保持される（図４参照）。
【００６７】
導電糸１０の個々のループは、コース方向で収縮した形状に変形され、この変形形状が保持される。導電糸１０は導電性の裸素材であるから、ループによる接触箇所数が多ければ多いほど、またコース方向で押し縮められることで接触面積が増大すればするほど、導通接点の数、すなわち、導通面積が多く、通電経路が短くなり、コース方向に離れた２箇所間での電気抵抗が小さくなる。
【００６８】
身生地が伸長しているときには、導電糸１０のループ同士が、弾性糸１１による引き締め力に抗して離反するようになる。このときの導電糸１０のループの離反挙動は、全ループが一斉に離反するのではなく、編地の伸長度合いに比例して接触圧が徐々に低下しながらも未だ接触状態を維持するもの（非伸長時よりも接触面積が減少したもの）や、接触を解除して隙間を徐々に広げるもの、或いは非伸長時の接触状態を維持するもの等が混在する状況を経ることになる（図５参照）。
【００６９】
そのため、非伸長時から伸長を開始してその伸長度が大きくなればなるほど、導通面積が減少し、通電経路が長くなり、電気抵抗は徐々に大きくなる傾向を示す。当然に、身生地１による伸長力が解除されると、弾性糸１１によるコース方向の引き締め力によってコース方向に収縮し、非伸長時の状態に復元するので、導通面積の増加に伴って電気抵抗は小さくなる。
【００７０】
図４，図５では、導電糸１０で平編地を編成する例を説明したが、ゴム編地（フライス編）で地組織を構成し、弾性糸１１をインレイによってコース方向に挿入してもよい。
【００７１】
即ち、姿勢検出生地５は、コース方向にループが形成された導電糸１０と、コース方向に挿入され収縮状態で各ループが接触し伸長状態で各ループが離反可能な弾性糸１１とで編成された編地で構成されている。
【００７２】
さらに、導電性伸縮生地６は、コース方向にループが形成された導電糸と、コース方向に挿入された弾性糸とで編成され、ヒートセットにより弾性糸が導電糸の交編部に熱融着した編地で構成されている。
【００７３】
つまり、姿勢検出生地５とほぼ同じ編組織で構成され、弾性糸１１として低融点ポリウレタンが用いられ、姿勢検出生地５で用いる導電糸１０よりも太い導電糸１０が用いられている。
【００７４】
ヒートセットにより弾性糸１１が導電糸１０の交編部に熱融着された状態となるので、基本的に弾性糸１１によってコース方向に収縮力が作用することがなく、多少の伸長状態であっても収縮状態であっても導電糸１０のループの接触状態が殆ど変化することがなく、従って伸縮により抵抗値は殆ど変化することがない。
【００７５】
姿勢検出生地５及び導電性伸縮生地６は、長手方向がコース方向に沿うように帯状に形成されている。尚、長手方向に直交する幅方向の全域が導電糸１０による平編地で構成されている必要はなく、少なくとも幅方向中央部のみが導電糸１０による平編地で構成され、両側部が絶縁糸による平編地で構成されていてもよい。
【００７６】
図６（ａ），（ｂ）に示すように、姿勢検出生地５として、弾性糸１１を芯部として、導電糸１０を一重に被覆したＳＣＹまたは二重に被覆したＤＣＹとしたカバリング糸１４により編成された生地を用いることも可能である。
【００７７】
図６（ｃ）に示すように、生地の伸長時に、弾性糸１１そのものが伸長することにより巻き付けられた導電糸１０の隙間が広がり、隣り合ったコース同士での導電糸の接点が減少することにより抵抗値が変化する。
【００７８】
図７（ｄ）には、このようなカバリング糸を用いた平編地が例示されている。カバリング糸としてＳＣＹとＤＣＹのどちらを用いても良いが、ＤＣＹは導電糸どうしの交差部があり導通が確保できる上に被覆密度が上がりやすく、初期抵抗値を下げる効果が得られるのでより好ましい。弾性糸のドラフト率と導電糸の撚り数は肌着用に通常用いられるカバリング糸と同程度（たとえばドラフト率１．０〜５．０倍程度、撚り数５０〜２０００Ｔ／ｍ程度）であればよい。
【００７９】
この例のように、姿勢検出生地５及び導電性伸縮生地６は、身生地１と一体に編成されることも可能であり、身生地１のうち姿勢検出生地５を配置すべき領域のみ身生地１と一体に編成することも可能である。また、身生地１と一体に編成する態様として、身生地の編成後に上述したカバリング糸を身生地に縫い込んで姿勢検出生地５及び導電性伸縮生地６として機能するように構成することも可能である。
【００８０】
身生地１を編成する原糸としてポリウレタン糸を軸に綿等の天然繊維を巻き付けたカバリング糸が好適に用いられる。また、天然繊維以外に、キュプラ、ビスコースレーヨン等の再生セルロース繊維、ポリエステル等の合成繊維等を用いることができる。
【００８１】
身生地１として上述のカバリング糸を用いた天竺編、フライス編み、スムース編み、パール編等の緯編地を好適に用いることができ、コース方向が身幅に沿うように、そしてウェール方向が着丈に沿うように用いられることが好ましい。
【００８２】
身生地１として、熱変形性弾性糸とそれ以外の糸をプレーティング編みで編成し、ヒートセット加工で熱変形性弾性糸を熱変形させることにより解れ止め加工した編地で、端縁が切りっ放し処理されている編地を用いることがさらに好ましい。
【００８３】
このような解れ止め加工を施した編地を採用すれば、洗濯を繰り返しても切りっ放し処理された端部から繊維が解れるようなことが無く、見栄えの悪化を招くことが無い。また、例えば端部を折り返して縫着するような従来の解れ止め加工が不要になるので、従来の解れ止め処理による端部の厚み等に起因する肌触りの悪化による不快感を招くことがなく、肌に優しい衣類が提供できるようになる。
【００８４】
図７に示すように、プレーティング編みは添え糸編みともいい、既存の編成方法を採用することができる。例えば複数本の糸をそれぞれ別の給糸口から、編み針に給糸する編成方法を用いると編成ループそれぞれの糸の配置が安定的に定まるため、特に好ましい。従って、熱変形性弾性糸１２とそれ以外の糸１３とを別の給糸口から編み針に給糸して編み立てられたプレーティング編地は、各編成ループにおける熱変形性弾性糸１２とそれ以外の糸１３との配置が安定しているため、全てのループに熱変形性弾性糸を隣接させることができ、ヒートセット加工等により熱変形性弾性糸を熱変形させれば、編地の全てのループで確実に解れ止め機能が実現できるようになる。
【００８５】
具体的に、熱変形性弾性糸１２に低融点ポリウレタン弾性糸、それ以外の糸１３に綿糸とレーヨンの混紡糸を選択し、フライス編みまたはスムース編みで編成された編地をヒートセット加工することにより、低融点ポリウレタン弾性糸が溶融して互いに融着することで、解れ止め機能が実現される。
【００８６】
このような解れ止め加工された編地を採用すれば、前身頃と後身頃と袖部を接着剤で接合することができ、その際に上述した姿勢検出生地５も接着剤で身生地に接合することができるようになる。
【００８７】
接着剤となる熱可塑性樹脂として、例えば、ポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー樹脂、湿気硬化型ウレタン系ホットメルト樹脂、反応型ホットメルト樹脂等が挙げられる。中でも反応型ホットメルト樹脂は、接着強度が高く、しかも短時間での接着が可能な点で特に好ましい。
【００８８】
図８には、姿勢検出生地５及び導電性伸縮生地６の抵抗値特性が示されている。参考として、銅線を導電糸として用い、弾性糸として１５５ｄｔｅｘのポリウレタン繊維を用いて交編した導電性伸縮生地の特性も示している。
【００８９】
姿勢検出生地５は、１５５ｄｔｅｘのポリウレタン繊維を芯糸に用い、芯糸をメッキ糸３３ｄｔｅｘでダブルカバリングしてＤＣＹとした導電糸のみでフライス編みされた編地で構成されている。
【００９０】
導電性伸縮生地６は、１５５ｄｔｅｘのポリウレタン繊維を芯糸に用い、芯糸をメッキ糸２３１ｄｔｅｘ（７７ｄｔｅｘ×３本）でＤＣＹしたカバリング糸を導電糸として用い、弾性糸として１１０ｄｔｅｘの低融点ポリウレタン繊維を用いて交編した後にヒートセット加工により、低融点ポリウレタン繊維を導電糸の交差部に融着して構成されている。
【００９１】
姿勢検出生地５は生地の伸長率と抵抗率が線形の関係が現れるが、導電性伸縮生地６は生地の伸長率に関わらず略一定の抵抗率となる。
【実施例】
【００９２】
図９には、信号処理部の姿勢検出衣料への好ましい取付け位置を評価した実験結果が示されている。ポリウレタン糸と綿糸とを添え糸編みでフライス編みした編地を身生地に用い（身生地の身幅方向への３０％伸長時の定伸長荷重は０．２３Ｎ）た肌着を姿勢検出衣料に見立てるとともに、約８０ｍｍ×４０ｍｍの樹脂製モックアップを信号処理部に見立てて、面ファスナーを用いて樹脂製モックアップの長手方向が水平姿勢となるように肌着に取り付け、約半日着用する官能試験を行なった。
【００９３】
樹脂製モックアップの取付け位置は、前身頃のうち着用状態で胸骨の下端部で臍より上部となる位置（胸下）、後身頃のうち首の直下（背上）、後身頃のうち肩甲骨直下（背下）の三か所である。樹脂製モックアップを付けていると感じる（不快）か感じない（快適）かを、それぞれ−２，−１，０，１，２の点数で５段階評価した。
【００９４】
図９（ａ），（ｂ），（ｃ），（ｄ）に示すように、樹脂製モックアップを最も意識するのは背上であり、最も意識しないのは胸下であることが判明し、背下も比較的良好であることが判明した。
【００９５】
図１０には、信号処理部の姿勢検出衣料への好ましい取付け位置及び取付姿勢を評価した実験結果が示されている。樹脂製モックアップの取付け位置は、前身頃のうち着用状態で胸骨の下端部で臍より上部となる位置（胸下）、後身頃のうち首の直下（背上）、後身頃のうち肩甲骨直下（背下）の三か所であり、胸下については長手方向が垂直姿勢となる場合と、長手方向が水平姿勢となる場合とを対比した。その結果、胸下に取り付ける場合には水平姿勢が好ましいことが判明した。
【産業上の利用可能性】
【００９６】
本発明による身生地が体表面を被覆する伸縮生地で構成される衣料は、例えば日常的に着用しながら、着用者の猫背姿勢をモニタすることができる姿勢検出衣料として広く活用される。
【符号の説明】
【００９７】
１：身生地
２：前身頃
３：後身頃
４：袖
５：姿勢検出生地
６：導電性伸縮生地
７：信号処理部
１００：衣料
【図１】
2018016917.tif 000003
【図２】
2018016917.tif 000004
【図３】
2018016917.tif 000005
【図４】
2018016917.tif 000006
【図５】
2018016917.tif 000007
【図６】
2018016917.tif 000008
【図７】
2018016917.tif 000009
【図８】
2018016917.tif 000010
【図９】
2018016917.tif 000011
【図１０】
2018016917.tif 000012